(57)【要約】【課題】グラフィック画面を作画する際に、視覚的に登録内容を明確にすることができ、登録・変更を容易に行えてドキュメント作成効率・エンジニアリング効率向上を図ることができる計装用オペレータズコンソールを提供する。【解決手段】プロセス監視制御システムに用いられ、プロセス状態を表す表示形態を表示してプラント制御装置の運転状態を監視するためのグラフィック画面の作画と表示に用いられる計装用オペレータズコンソールにおいて、表示形態を構成する構成要素と構成要素の詳細情報であるプロパティについての登録情報、及び構成要素とプロパティとの対応を表す関連情報を格納する記憶装置を備える。グラフィック画面２５０上で構成要素が選択されると、登録情報と関連情報に基づき、選択された構成要素と関連付けて、選択された構成要素のプロパティ２６０をグラフィック画面上で表示する。【選択図】図４
2012003451.tif 000002
【特許請求の範囲】
【請求項１】
プロセス監視制御システムに用いられ、プロセス状態を表す表示形態を表示してプラント制御装置の運転状態を監視するためのグラフィック画面の作画と表示に用いられる計装用オペレータズコンソールにおいて、
前記表示形態を構成する構成要素と前記構成要素の詳細情報であるプロパティについての登録情報、及び前記構成要素と前記プロパティとの対応を表す関連情報を格納する記憶装置を備え、
前記グラフィック画面上で前記構成要素が選択されると、前記登録情報と前記関連情報に基づき、選択された前記構成要素と関連付けて、選択された前記構成要素のプロパティを前記グラフィック画面上で表示する、
ことを特徴とする計装用オペレータズコンソール。
【請求項２】
請求項１記載の計装用オペレータズコンソールにおいて、
選択された前記構成要素のプロパティは、前記グラフィック画面上で、前記構成要素を表示しているウインドウとは別のウインドウに表示される計装用オペレータズコンソール。
【請求項３】
請求項１記載の計装用オペレータズコンソールにおいて、
前記グラフィック画面上で複数の前記構成要素が選択されると、それぞれの前記構成要素に対してそれぞれの前記プロパティを関連付けて、前記グラフィック画面上で表示する計装用オペレータズコンソール。
【請求項４】
請求項１から３のいずれか１項記載の計装用オペレータズコンソールにおいて、
選択された前記構成要素と選択された前記構成要素のプロパティとに同一の番号をつけ、この同一の番号を前記グラフィック画面上に表示することで、選択された前記構成要素と選択された前記構成要素のプロパティとを関連付けて表示する計装用オペレータズコンソール。
【請求項５】
請求項１記載の計装用オペレータズコンソールにおいて、
選択された前記構成要素と選択された前記構成要素のプロパティとを関連付けて、予め定めたレイアウトに従い、１枚のドキュメントに印字する計装用オペレータズコンソール。
【請求項６】
請求項５記載の計装用オペレータズコンソールにおいて、
選択された前記構成要素と選択された前記構成要素のプロパティとを線で結んで表示することで、選択された前記構成要素と選択された前記構成要素のプロパティとを関連付けて印字する計装用オペレータズコンソール。
【請求項７】
請求項１記載の計装用オペレータズコンソールにおいて、
テストデータが入力可能であり、前記テストデータが入力されると、前記プロパティには、入力された前記テストデータの値が出力される計装用オペレータズコンソール。
【発明の詳細な説明】
【技術分野】
【０００１】
本発明は、フィードバック制御やシーケンス制御、プロセス状態監視等を行うプロセス監視制御システムに関する。より詳細には、プラントのプロセス監視制御システムに用いるグラフィック画面の作画及び作成したグラフィック画面の表示を行う計装用オペレータズコンソールに関する。
【背景技術】
【０００２】
従来、プロセス監視制御システムに用いるグラフィック画面の作画装置（計装用オペレータズコンソール）では、特許文献１などに記載されているように、グラフィックの表示形態（表現パターン）とプロセスデータ（表示データ、プラントの運転情報）との組合せにより、表示する画面を作画していく。
【０００３】
表示形態には、数値表現、グラフ表現、色替え表現、動画表現などの各種表現パターンがある。これらの表現パターンを画面上のどの位置に配置するかを登録し、これらの表現パターンと組み合わせるプロセスデータの取込先を登録することで、グラフィック画面を作画していく。プロセスデータの取込先とは、プロセスデータを取り込むプラント制御装置の端子名称のことである。
【０００４】
作画する上で登録したこれらの情報は、ファイルとして格納される。グラフィック画面の表示装置（計装用オペレータズコンソール）では、このファイルを解析し、プロセスデータの取込先（データ端子名称）からデータを集め、表現パターンとプロセスデータとを組み合わせて表示することで、グラフィック画面の表示を実現する。
【先行技術文献】
【特許文献】
【０００５】
【特許文献１】特開２０００−８１８７０号公報
【発明の概要】
【発明が解決しようとする課題】
【０００６】
以上説明したように、計装用オペレータズコンソールでグラフィック画面を作画する際には、作画する上で必要な情報を登録するが、一度登録した情報の内容は、個別に呼び出して確認する必要がある。従来の計装用オペレータズコンソールでは、登録した情報の内容を検索して部分的にピックアップすることは可能であるが、対象となる内容は登録した内容の中の１項目だけである。さらに、全登録内容の一覧を表示・印字することも可能であるが、登録した内容とグラフィック画面に実際に表示される表示形態との関連付けがわかりづらい。
【０００７】
本発明の目的は、グラフィック画面を作画する際に、視覚的に登録内容を明確にすることができ、登録・変更を容易に行えてドキュメント作成効率・エンジニアリング効率向上を図ることができる計装用オペレータズコンソールを提供することである。
【課題を解決するための手段】
【０００８】
本発明による計装用オペレータズコンソールは、基本的には次のような特徴を有する。
【０００９】
プロセス監視制御システムに用いられ、プロセス状態を表す表示形態を表示してプラント制御装置の運転状態を監視するためのグラフィック画面の作画と表示に用いられる計装用オペレータズコンソールにおいて、前記表示形態を構成する構成要素と前記構成要素の詳細情報であるプロパティについての登録情報、及び前記構成要素と前記プロパティとの対応を表す関連情報を格納する記憶装置を備える。前記グラフィック画面上で前記構成要素が選択されると、前記登録情報と前記関連情報に基づき、選択された前記構成要素と関連付けて、選択された前記構成要素のプロパティを前記グラフィック画面上で表示する。
【発明の効果】
【００１０】
本発明による計装用オペレータズコンソールでは、プラントの運転監視を行うためのグラフィック画面の作画を行う際、視覚的に登録内容が確認できて効率良く作画が行えるので、情報の登録・変更を容易に行えるという効果がある。これにより、プロセス監視用グラフィック画面作画の高効率化とドキュメント作成効率・エンジニアリング効率向上を図ることができ、コスト削減の効果もある。
【図面の簡単な説明】
【００１１】
【図１】プロセス監視制御システムの構成例を示す図。
【図２】グラフィック画面作画例を示す図。
【図３】もう１つのグラフィック画面作画例を示す図。
【図４】構成要素とプロパティとを関連付けて表示する例を示す図。
【図５】グラフィック画面ウインドウとプロパティ表示ウインドウを印字出力した例を示す図。
【図６】グラフィック画面作画処理フローを示す図。
【図７】グラフィック画面登録ファイル構成例を示す図。
【図８】関連付けファイル作成処理フローを示す図。
【図９】グラフィック画面の表示処理を示す図。
【発明を実施するための形態】
【００１２】
プロセス監視制御システムでは、プラント制御装置の運転状態を監視するためのグラフィック画面を、作画装置で作画して表示する。グラフィック画面の作画と表示には、一般的に、計装用オペレータズコンソールが用いられる。
【００１３】
一般に、プロセス監視制御システムに用いるグラフィック画面の作画装置（計装用オペレータズコンソール）では、グラフィックの表示形態（表現パターン）とプロセスデータ（表示データ、プラントの運転情報）の取込先とを組み合わせて画面を作画していく。プロセスデータには、温度や流量といった数値データ（アナログデータ）と状態を示すＯＮ−ＯＦＦデータ（デジタルデータ）とがある。表示形態に使われるプロセスデータの種類は、表示形態ごとに決まっている。
【００１４】
この点に着目すると、表示形態を登録すると、自動的にダミー取込先（ダミー端子）を表示形態に割付けることが可能となる。具体的には、表示形態の登録順に、アナログデータの場合は、アナログデータ１（Ａ００１）、アナログデータ２（Ａ００２）、デジタルデータの場合は、デジタルデータ１（Ｄ００１）、デジタルデータ２（Ｄ００２）というようにダミー取込先（ダミー端子）を割付ける。ダミー端子は、表示形態に一時的に割付けられる。
【００１５】
従って、表示形態は、表示形態を作画するための情報（作画情報）と、割付けられたプロセスデータに関する情報を持ち、これらの情報に基づいて作画される。
【００１６】
これらの情報は、画面上には表示形態しか表示されないので、画面からは、表示位置と表示形態のイメージしか得ることができない。従って、表示形態のイメージを得ることはできるが、表示形態を構成する要素（構成要素）の詳細情報（例えば、データの属性や可変情報の仕様）などは、呼び出して確認するしかない。
【００１７】
本発明による計装用オペレータズコンソールでは、画面上の表示部分（表示形態のイメージ、構成要素）と表示仕様（表示形態の構成要素の詳細情報、プロパティ）を関連付けし、これらの情報を組み合わせて表示・印字する。メモのようなコメントなども組み合わせることができる。これにより、登録内容が容易に確認できるとともに、高効率で登録内容の追加・変更が可能である。
【００１８】
以下、本発明の実施例を図１から図９を用いて説明する。
【００１９】
まず、本発明による計装用オペレータズコンソールを有するプロセス監視制御システムについて、図１を用いて説明する。図１はプロセス監視制御システムの構成例を示す図である。本実施例でのプロセス監視制御システムは、プラント制御装置１０、１２、タンク２０、３０、流量計２２、２４、２８、プロセスバルブ２６、３２、３４、通信回線４０、計装用オペレータズコンソール５０、５２を備える。本実施例において、計装用オペレータズコンソール５０、５２は、演算処理装置、キーボードやマウスなどの入力装置、表示装置（ディスプレイ）、印字装置、及び記憶装置を備え、グラフィック画面の作画や表示、情報やデータの入出力や印字、及び必要な情報や登録ファイルの格納などを行うことができる。
【００２０】
プラント制御装置１０は、タンク２０に流れ込む流体、例えば２系統の油の流量を、センサである流量計２２、２４からの検出信号により検出して取り込む。流量計２２、２４によって検出されたタンク２０に流れ込んだ油の総量が所定量になると、プロセスバルブ２６に制御信号を出力してプロセスバルブ２６を開き、タンク２０からタンク３０に油を流出させる。プロセスバルブ２６は、初期状態では閉じている。さらに、プラント制御装置１０は、プロセスバルブ２６を開いてから所定時間経過後に、プロセスバルブ２６を閉じるように制御する。プロセスバルブ２６の後段にも、流量計２８が設けられており、タンク２０からタンク３０に流れる油の流量が計測され、プラント制御装置１０に取り込まれる。
【００２１】
プラント制御装置１２は、タンク３０の流出側配管に備えられたプロセスバルブ３２、３４の開閉を制御する。初期状態としてプロセスバルブ３２、３４は、いずれも閉じている。
【００２２】
この状態で、タンク２０には、その右側に接続された２本の配管から２種類の流体、例えば油類が流入する。その流量は、流量計２２、２４で検出される。検出された流量の総量が所定量、例えば１０ｔになると、プロセスバルブ２６が開かれ、タンク２０からタンク３０に油が移動する。移動開始して所定時間、例えば１０分経過すると、プロセスバルブ２６を閉じる。その後、プロセスバルブ３２を開くことにより、タンク３０の上部に溜まった上澄み分の清浄な油を取り出す。また、その油を取り出した後、プロセスバルブ３４を開くことにより、沈澱している汚濁された油をドレインとして排出する。
【００２３】
プラント制御装置１０、１２は、通信回線４０を介して、計装用オペレータズコンソール５０、５２に接続されている。本実施例では、計装用オペレータズコンソール５０についてのみ説明するが、計装用オペレータズコンソール５２も同様の機能を持ち、同様の処理を実行することができる。
【００２４】
流量計２２、２４、２８によって検出されたタンク２０の流入出量は、プラント制御装置１０を介して計装用オペレータズコンソール５０に取り込まれ、計装用オペレータズコンソール５０のディスプレイ上にそれらの流量値が表示される。また、プラント制御装置１０によるプロセスバルブ２６の開閉状態、及びプラント制御装置１２によるプロセスバルブ３２、３４の開閉状態も、通信回線４０を介して計装用オペレータズコンソール５０のディスプレイ上に表示される。故に、オペレータは、計装用オペレータズコンソール５０のディスプレイ画面をモニターすることにより、タンク２０、３０の流体の流入・流出状況を把握することができる。
【００２５】
また、マニュアル操作でプロセスバルブ３２、３４の開閉制御をしようとする場合には、計装用オペレータズコンソール５０からその開閉制御を行える。プラント制御装置１２は、タンク３０の後段に接続されるプラント（図示せず）の状況を把握し、マニュアル制御を行うものである。
【００２６】
計装用オペレータズコンソール５０のディスプレイ上に表示されるデータを、プラントの構成などに合わせて表示するのがグラフィック画面６０である。このように、プラントのイメージ（表示形態）を表示して運転監視に用いる画面をグラフィック画面としている。当然のことであるが、このような画面は、プラント設計の一つとして作画されなければならない。
【００２７】
図２はグラフィック画面の作画例を示す図である。グラフィック画面６０（図１）の登録は、計装用オペレータズコンソール５０を用いて、図２に示すグラフィック画面作画例のように行う。すなわち、グラフィック画面作画１００に対して、表示形態登録情報１１０、１２０、１３０を登録していく。具体的には、表示形態の構成要素１８０に、データ取込先（ダミー端子の名称）、表示部品（バーグラフ、数値表示、ボタン表示など）、座標、色などを登録する。表示部品は、表示形態登録情報１１０がバーグラフ、表示形態登録情報１２０が数値表示、表示形態登録情報１３０がボタン表示である。バーグラフにはグラフの形状、数値表示にはフォントやスケール変換、ボタン表示には画素番号などもそれぞれ登録する。このように、表示形態の構成要素１８０を順に作画し、目的のグラフィック画面を作画・構築していく。
【００２８】
本実施例での計装用オペレータズコンソールでは、このグラフィック画面の作画登録時にデータの取込先を自動で割付けることで、データ取込先が正式に決定されていなくても表示形態の構成要素１８０を登録・作画する。データの取込先は、各構成要素１８０に、アナログデータの１番目（Ａ００１）やデジタルデータの１番目（Ｄ００１）というように順に割付けていく。図２の例では、それぞれの構成要素１８０にデータ取込先（ダミー端子）として、表示形態登録情報１１０にはＡ００１、表示形態登録情報１２０にはＡ００２、表示形態登録情報１３０にはＤ００１が自動的に割付けられる。割付けられたダミー端子は、ダミー端子割付け表３３０に記録される。
【００２９】
ダミー端子割付け表３３０は、ダミー端子を記録し、ダミー端子とプロセス情報取込先（データ取込先）とを結びつけるためのもので、計装用オペレータズコンソールで生成され、計装用オペレータズコンソールの記憶装置（後述する図９の記憶装置５５０）に格納される。また、計装用オペレータズコンソールのディスプレイ（後述する図９の表示装置５２０）に表示することもできる。
【００３０】
プロセス監視制御システム構築の後段階などプロセスデータの取込先が決定した時点で、ダミー端子割付け表３３０を呼び出し、ダミー端子とプロセスデータとの対応を入力することで、正式にプロセス情報取込先（データ取込先）を表示形態の構成要素１８０に割付けることができる。図２のダミー端子割付け表３３０は、ダミー端子Ａ００１〜Ａ００３にプロセス情報取込先情報を入力して割付けた例を示している。図２は、ダミー端子Ａ００２に対するプロセスデータが入力されているところであり、ダミー端子割付け表３３０の上から２行目のプロセス情報取込先情報の入力部１５０が選択されている。入力部１５０が選択されると、図２のように選択された行が強調表示１６０され、グラフィック画面上の対応する表示形態の構成要素１８０も強調表示１７０される。
【００３１】
また、グラフィック画面上の構成要素１８０を選択し、ダミー端子とプロセスデータとの対応を入力することもできる。構成要素１８０は、選択されると強調表示１７０されて選択されたことを示し、ダミー端子割付け表３３０上の対応する入力部１５０も強調表示１６０される。
【００３２】
図３は、もう１つのグラフィック画面作画例を示す図である。最近のグラフィック画面の作画装置では、図３に示すグラフィック画面作画例のように、グラフィック画面２００に対し、表示形態を構成する要素（構成要素）を作画構成要素表示部２１０に用意されたアイコン群から選択して配置するとともに、配置した構成要素の詳細情報をプロパティとしてプロパティ表示部２２０に登録する方式のものが多い。このような方式の場合、イメージ先行でグラフィック画面２００を作成することができ、表示形態の構成要素を新規に登録する上では効率的である。しかしながら、この場合、複数の構成要素のプロパティを同時に確認することはできない。
【００３３】
なお、プロパティとは、表示形態の構成要素に関する詳細情報である。例えば、構成要素を作画するための情報（作画情報）や、割付けられたプロセスデータに関する情報など、構成要素の属性や構成要素が持つデータのことである。
【００３４】
本発明による計装用オペレータズコンソールでは、複数の構成要素と各構成要素のプロパティとを、それぞれ関連付けて同時に表示することができる。
【００３５】
図４は、複数の構成要素と各構成要素のプロパティとを関連付けて表示する例を示す図である。グラフィック画面ウインドウ２５０は構成要素を表示し、プロパティ表示ウインドウ２６０には、各構成要素のプロパティを表示する。グラフィック画面ウインドウ２５０とプロパティ表示ウインドウ２６０は、計装用オペレータズコンソールのディスプレイに同時に表示することができるので、オペレータは、画面を切り替えることなく、両者をモニターすることができる。
【００３６】
グラフィック画面ウインドウ２５０に表示された構成要素を、ポインティングデバイス（例えばマウス）等の入力装置を利用して指定すると、指定した構成要素のプロパティがプロパティ表示ウインドウ２６０に表示される。このとき、グラフィック画面ウインドウ２５０では、プロパティ参照表示２５１〜２５４に示すように、構成要素に割り当てられた番号と、この番号がどの構成要素に対応しているかを指し示す引き出し線（矢印）が表示される。プロパティ表示ウインドウ２６０では、構成要素参照表示２６１〜２６４に示すように、指定した構成要素に割り当てられた番号が、その構成要素のプロパティに対して表示される。
【００３７】
図４に示した例では、例えば、グラフィック画面ウインドウ２５０のプロパティ参照表示２５１で示された番号１の構成要素のプロパティは、プロパティ表示ウインドウ２６０の構成要素参照表示２６１で示された番号１のプロパティである。このようにして、構成要素には番号と引き出し線を、プロパティには対応する番号をそれぞれ割付けて表示することで、相互の関連付けを表現する。
【００３８】
グラフィック画面ウインドウ２５０で複数の構成要素を指定すると、それぞれの構成要素に対してプロパティ参照表示２５１〜２５４が表示されるとともに、プロパティ表示ウインドウ２６０にそれぞれの構成要素のプロパティと構成要素参照表示２６１〜２６４が表示される。従って、複数の構成要素と各構成要素のプロパティとを、それぞれ関連付けて同時に表示することが可能である。
【００３９】
構成要素のプロパティは、構成要素を選択すると、対応するプロパティが構成要素に割り当てられた番号とともに表示されるので、視覚的に分かりやすい。構成要素とその構成要素が持つプロパティとの対応が一目瞭然となるので、プロパティを変更する際には、どの構成要素のプロパティを変更しているのかが明らかになり、容易にプロパティを変更することができる。
【００４０】
また、グラフィック画面ウインドウ２５０には、任意の位置にコメント２５５を付加することができる。
【００４１】
以上のように構成要素と各構成要素のプロパティとを関連付けて表示したものを、ドキュメントとして印字出力する場合には、グラフィック画面ウインドウ２５０とプロパティ表示ウインドウ２６０を別々のドキュメントに印字する方法と、１枚のドキュメントとして印字する方法がある。
【００４２】
図５は、グラフィック画面ウインドウとプロパティ表示ウインドウを、１枚のドキュメントとして印字出力した例を示す図である。
【００４３】
グラフィック画面ドキュメント２８０は、印字出力したドキュメントの例である。図４のグラフィック画面ウインドウ２５０は、グラフィック作画部２８４として、図４のプロパティ表示ウインドウ２６０は、プロパティ印字部２８３として、印字されている。また、図４のコメント２５５は、コメント部２８１として印字されている。
【００４４】
図５に示すように、１枚のドキュメントとして印字する場合には、予め定めたレイアウトに従って印字する。図５の例では、各構成要素のプロパティを、プロパティ印字部２８３に纏めて配置している。また、グラフィック作画部２８４上の個々の構成要素とそれぞれに対応するプロパティとを線（矢印）で結んで関連付け表示をすることで、構成要素とプロパティとの対応が分かりやすいドキュメントを作成することができる。このようにして、構成要素とプロパティとを対応付けて示すことが容易に可能である。
【００４５】
図６は、グラフィック画面の作画処理フローを示す図である。図６を用いて、本発明による計装用オペレータズコンソールの画面作画処理について説明する。
【００４６】
作画開始後、まず、ステップ３０１で作画を終了するか継続するかを判定する。作画を継続する場合は、ステップ３０２に進み、作画する表示形態を選択する。
【００４７】
さらに、ステップ３０３で、選択した表示形態に対し、プロセス情報取込先以外の登録情報（座標、色、形状など）を入力する。このとき、表示形態の構成要素に対し、構成要素に固有の番号（構成要素の番号）が自動的に割り当てられる。これらの入力が終わったら、ステップ３０５に進む。
【００４８】
ステップ３０５では、ダミー端子を自動的に割付ける。この自動割付けの方法としては、例えば、表示形態が扱うデータの種類に応じてアナログ端子とデジタル端子とに分けて、登録順に自動的に番号（Ａ００１、Ｄ００１など）を順に割付ける。割付けた結果は、ダミー端子割付け表３３０（図２参照）に格納される。
【００４９】
次に、ステップ３０７で、プロセス情報取込先を登録する。プロセス情報取込先の入力が不可（プロセス情報取込先が未決定）の場合は、ダミー端子のままにしておき、登録しない。
【００５０】
以上のステップをグラフィック画面作画処理のたびに繰返し行い、最終的に作画終了ならば、ステップ３０８に進み、登録内容をグラフィック画面登録ファイル３２０に格納して作画を終了する。グラフィック画面登録ファイル３２０は、計装用オペレータズコンソールが備える記憶装置（後述する図９の記憶装置５５０）に格納される。
【００５１】
図７は、グラフィック画面登録ファイルの構成例を示す図である。図７を用いて、グラフィック画面登録ファイル３２０の構成について説明する。グラフィック画面登録ファイル３２０は、表示形態登録情報部４００とプロセス情報取込先情報部４１０とからなる。
【００５２】
表示形態登録情報部４００には、表示形態の登録順に、それぞれの表示形態の登録情報４０１が格納されている。この表示形態の登録情報４０１には、表示形態の構成要素の番号と、データ取込先としてのダミー端子が登録されている。図７に示した表示形態登録情報２の例では、構成要素の番号２と、アナログのダミー端子Ａ００２と、デジタルのダミー端子Ｄ００３が登録されている。
【００５３】
プロセス情報取込先情報部４１０には、表示形態の登録順に、それぞれのダミー端子と実際のプロセス情報取込先情報との関連付け４１１が登録される。図７に示したプロセス情報取込先情報２の例では、プロセス情報取込先としてアナログのダミー端子Ａ００２にはＦＩＣ００１．ＰＶが、デジタルのダミー端子Ｄ００３にはＤＩ５００Ｓ０１がそれぞれプロセス情報取込先として関連付けられて登録されている。
【００５４】
このようにして、表示形態登録情報とプロセス情報取込先情報とは、ダミー端子割付け表３３０を介して関連付けられる。
【００５５】
また、表示形態の構成要素と各構成要素のプロパティとの関連（対応関係）は、関連付けファイル３４０に、関連情報１〜ｎとして記録される。各関連情報１〜ｎには、関連付け登録番号（構成要素の番号及び種別（表示部品の種類））と、関連付け座標（構成要素の座標、プロパティの表示座標）が含まれる。また、構成要素やプロパティに付随する情報を付帯情報として記録することもでき、各構成要素に固有の情報を追加することができる。関連付けファイル３４０は、計装用オペレータズコンソールの記憶装置（後述する図９の記憶装置５５０）に格納される。
【００５６】
ここで、図８を用いて、関連付けファイル３４０を作成する手順について説明する。図８は、関連付けファイル作成処理フローを示す図である。
【００５７】
まず、ステップ５０１で、関連付けファイル３４０の作成を終了するか継続するかを判定する。作成を継続する場合は、ステップ５０２に進む。
【００５８】
ステップ５０２では、ポインティングデバイス（例えばマウス）等の入力装置を用いて、計装用オペレータズコンソールに表示されたグラフィック画面ウインドウから、関連付けを行う構成要素を選択する。
【００５９】
ステップ５０３では、選択した構成要素の登録情報（プロパティ）を、グラフィック画面登録ファイル３２０の表示形態登録情報部４００に格納された表示形態の登録情報４０１（図７）から参照する。選択した構成要素の番号及び種別（表示部品の種類）は、関連付けファイル３４０の関連情報に含まれる関連付け登録番号のデータとなる。
【００６０】
ステップ５０４では、選択した構成要素とそのプロパティに、表示位置と印字位置を予め定めたレイアウトに従って自動的に割付ける。この割付け情報は、関連付けファイル３４０の関連情報に含まれる関連付け座標のデータとなる。
【００６１】
ステップ５０５では、必要であれば、選択した構成要素やそのプロパティに、付帯情報を設定する。この付帯情報は、関連付けファイル３４０の関連情報に含まれる付帯情報のデータとなる。
【００６２】
以上のステップを、プロパティとの関連付けが必要な構成要素について行う。必要な構成要素の全てについて関連付けが終了したら、ステップ５０６に進み、関連付けた内容を関連付けファイル３４０に格納する。このようにして、関連付けファイル３４０を作成することができる。
【００６３】
先に説明したとおり、グラフィック画面登録ファイル３２０と関連付けファイル３４０を用意することで、構成要素とそのプロパティとを関連付けて表示し印字することが可能である。また、構成要素の付帯情報も表示と印字が可能である。
【００６４】
図９は、計装用オペレータズコンソールのグラフィック画面の表示処理を示す図である。計装用オペレータズコンソールは、表示処理部５１０と表示装置５２０を備えており、表示処理を行うことができる。
【００６５】
グラフィック画面を表示装置５２０に表示するには、まず、表示処理部５１０は、グラフィック画面登録ファイル３２０の表示形態登録情報部に格納された表示形態の登録情報を解析し、そして関連付けファイル３４０に格納された関連情報を解析する。以上の解析結果に基づき、表示処理部５１０は、グラフィック画面を表示する。次に、表示処理部５１０は、ダミー端子割付け表３３０からダミー端子のデータを取り出し、表示する。
【００６６】
テスト時には、テストデータ５３０として構成要素とプロパティをオペレータが入力すると、このテストデータ５３０からダミー端子にデータを設定して、テストデータ５３０を含めたドキュメントを作成することも可能である。
【００６７】
本発明による計装用オペレータズコンソールでは、以上説明したように、構成要素（表示形態）に関する情報をグラフィック画面登録ファイル３２０の表示形態登録情報部とプロセス情報取込先情報部とに分けて保存することで、構成要素を部品化することが可能である。また、これらの情報を表示・印字出力することで、構成要素の管理・確認をすることが可能となる。
【００６８】
従来のプロセス監視制御システムにおけるグラフィック画面作画では、作画することが目的となり、登録時における構成要素のプロパティ（詳細情報）は、一項目ごとの作画情報として管理されるだけである。本発明による計装用オペレータズコンソールでは、作画画面をワンタッチで呼び出し、構成要素のプロパティを画面余白部分に自動レイアウトして表示・印字できるように内部データを関連付けて管理する。従って、構成要素のプロパティを容易に確認することができ、ドキュメントとして管理することが可能になる。これらの関連付け情報は、通常の運転監視には不要であるが、テスト・ドキュメント化の時には、呼び出して利用することが可能である。またプロセスデータの情報も必要に応じて組み込みが可能なため、作画テストの効率も向上する。
【符号の説明】
【００６９】
１０，１２…プラント制御装置、５０，５２…計装用オペレータズコンソール、６０…グラフィック画面、１００…グラフィック画面作画、１１０，１２０，１３０…表示形態登録情報、１５０…入力部、１６０，１７０…強調表示、１８０…構成要素、２００…グラフィック画面、２１０…作画構成要表示部、２２０…プロパティ表示部、２５０…グラフィック画面ウインドウ、２５１〜２５４…プロパティ参照表示、２５５…コメント、２６０…プロパティ表示ウインドウ、２６１〜２６４…構成要素参照表示、２８０…グラフィック画面ドキュメント、２８１…コメント部、２８３…プロパティ印字部、２８４…グラフィック作画部、３２０…グラフィック画面登録ファイル、３３０…ダミー端子割付け表、３４０…関連付けファイル、４００…表示形態登録情報部、４０１…表示形態の登録情報、４１０…プロセス情報取込先情報部、４１１…ダミー端子と実際のプロセス情報取込先情報との関連付け、５２０…表示装置、５５０…記憶装置。
【図１】
2012003451.tif 000003
【図２】
2012003451.tif 000004
【図３】
2012003451.tif 000005
【図４】
2012003451.tif 000006
【図５】
2012003451.tif 000007
【図６】
2012003451.tif 000008
【図７】
2012003451.tif 000009
【図８】
2012003451.tif 000010
【図９】
2012003451.tif 000011